(57)【要約】  導光体（１）は、第１の出射光を出射する第１の出射部（１ｂ）と、第１の出射光とは異なる方向に第２の出射光を出射する第２の出射部（１ｃ）と、内部へ入射した光を第１の出射部（１ｂ）と第２の出射部（１ｃ）とのそれぞれへ向けて反射する反射部（１ａ）とを備える。第１の出射部（１ｂ）及び第２の出射部（１ｃ）は、それぞれ、長軸方向に直交する断面が凸状である第１の曲面及び第２の曲面を有する。第２の出射部（１ｃ）は、長軸方向に直交する方向に第１の出射部（１ｂ）と接続する。反射部（１ａ）は、第１の出射部（１ｂ）及び第２の出射部（１ｃ）に対向する平面において、平面の法線が第１の出射部（１ｂ）と第２の出射部（１ｃ）との接続部を通る位置から、前記長軸方向に直交する方向へずれた位置に設けられている。
2014097995.tif 000002
【特許請求の範囲】
【請求項１】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に前記第１の出射部と接続しており、前記第１の出射光とは異なる方向に第２の出射光を出射する第２の出射部と、
前記内部に入射した光を前記第１の出射部と前記第２の出射部とのそれぞれへ向けて反射する反射部とを備え、
前記反射部は、前記第１の出射部及び前記第２の出射部に対向する平面において、当該平面の法線が前記第１の出射部と前記第２の出射部との接続部を通る位置から、前記長軸方向に直交する方向へずれた位置に設けられている導光体。
【請求項２】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に前記第１の出射部と接続しており、前記第１の出射光とは異なる方向に第２の出射光を出射する第２の出射部と、
前記第１の出射部に対向する平面に設けられた第１の反射部と、
前記第２の出射部に対向する平面に設けられた第２の反射部とを備え、
前記第１の出射部と前記第１の反射部との距離は、前記第２の出射部と前記第２の反射部との距離よりも短い導光体。
【請求項３】
前記第１の出射部と前記第２の出射部とは、前記長軸方向に直交する断面において、凹状をなして接続する請求項２に記載の導光体。
【請求項４】
前記第１の反射部と前記第２の反射部とは、前記長軸方向に直交する方向に並行に配置されている請求項２又は請求項３に記載の導光体。
【請求項５】
前記第１の出射光の光軸は、前記第２の出射光の光軸と交差する請求項２に記載の導光体。
【請求項６】
前記第１の曲面と前記第２の曲面とは、同じ曲率である請求項５に記載の導光体。
【請求項７】
前記第１の曲面と前記第２の曲面とは、同じ曲率の曲面であり、当該曲面に接続して延びて前記第２の出射部に対向する平面に接続する側壁部を備え、
前記側壁部は、前記第２の反射部で反射された光を前記第２の出射部へ反射するとともに、前記長軸方向へ導光する請求項５に記載の導光体。
【請求項８】
前記側壁部は、平面である請求項７に記載の導光体。
【請求項９】
前記側壁部は、前記長軸方向に直交する断面が凸状である曲面を有する請求項７に記載の導光体。
【請求項１０】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に前記第１の出射部と接続しており、前記第１の出射光とは異なる方向に第２の出射光を出射する第２の出射部と、
前記第１の出射部に対向する平面に設けられた第１の反射部と、
前記第２の出射部に対向する平面に設けられた第２の反射部とを備え、
前記第１の反射部の面積は、前記第２の反射部の面積より広い導光体。
【請求項１１】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が平面又は凸状である第２の曲面を有し、前記長軸方向に直交する方向に前記第１の出射部と接続しており、前記第１の出射光とは異なる方向に第２の出射光を出射する第２の出射部と、
前記第１の出射部に対向する平面に設けられた第１の反射部と、
前記第２の出射部に対向する平面に設けられた第２の反射部とを備え、
前記第１の出射光の光軸は、前記第２の出射光の光軸と交差する導光体。
【請求項１２】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に前記第１の出射部と接続しており、前記第１の出射光とは異なる方向に第２の出射光を出射する第２の出射部と、
前記第１の出射部に対向する平面に設けられた第１の反射部と、
前記第２の出射部に対向する平面に設けられた第２の反射部と、
前記第１の出射部と前記第２の反射部との間、及び、前記第２の出射部と前記第１反射部との間の一方又は両方に、前記長軸方向に延在する凹部とを備える導光体。
【請求項１３】
前記凹部は、前記長軸方向に延在して、互いに交差する平面で形成されている請求項１２に記載の導光体。
【請求項１４】
前記第１の出射部と前記第２の反射部との間に設けられた凹部は、前記第１の出射光の光軸に平行な平面と、当該平面に交差する平面とで形成され、
前記第２の出射部と前記第１の反射部との間に設けられた凹部は、前記第２の出射光の光軸に平行な平面と、当該平面に交差する平面とで形成される請求項１３に記載の導光体。
【請求項１５】
前記凹部は、前記第１の出射光の光軸に平行な平面と、当該平面に交差する平面とで形成される請求項１３に記載の導光体。
【請求項１６】
前記凹部を形成する平面の交差角度は、９０度である請求項１３から請求項１５のいずれか１項に記載の導光体。
【請求項１７】
前記凹部を形成する平面の交差角度は、鈍角である請求項１３から請求項１５のいずれか１項に記載の導光体。
【請求項１８】
前記凹部に設けられた遮光部材をさらに備える請求項１６に記載の導光体。
【請求項１９】
前記第２の出射光が被照射体を照射する請求項１から請求項１８のいずれか１項に記載の導光体と、
前記導光体の前記第１の出射部に対向し、前記長軸方向に延在し、前記導光体からの前記第１の出射光を反射して前記被照射体を照射する反射体とを備える光源装置。
【請求項２０】
請求項１９に記載の光源装置と、
前記第２の出射光と前記反射体で反射した反射光とが被照射体で反射した散乱光を集束させる結像光学系と、
前記結像光学系で集束された光を受光する受光部とを備える画像読取装置。
【請求項２１】
前記第１の出射光と前記第２の出射光とのそれぞれが被照射体を照射する請求項１から請求項１８のいずれか１項に記載の導光体と、
前記導光体からの前記第１の出射光と前記第２の出射光とが前記被照射体で反射した散乱光を集束させる結像光学系と、
前記結像光学系で集束された光を受光する受光部とを備える画像読取装置。
【発明の詳細な説明】
【技術分野】
【０００１】
本発明は、２方向に光を出射する導光体と、その導光体を用いた光源装置及び画像読取装置に関する。
【背景技術】
【０００２】
画像読取装置などに用いられる光源装置は、ファクシミリや複合機や有価紙葉等の読取装置に用いられている。画像読取装置は、読み取る対象である原稿や紙葉に対して光源装置から複数方向から光を照射する。そして、画像読取装置は、その読取対象の反射光や透過光をレンズやミラーなどの結像素子を通じてＣＭＯＳセンサやＣＣＤセンサなどの光電変換素子上に結像させることで読取対象の光学情報を検出する。画像読取装置は、得られた画像情報を利用して原稿を複写や、紙葉の真偽札判別や流通劣化度合いの判別等を行う。近年、画像読取装置の小型化及び読取速度の高速化に伴い、光源装置の小型化及び高効率化が求められている。【０００３】
従来、このような複数方向からの照射を必要とする光源装置には次のようなものがある。例えば、特許文献１には、１本の導光体とミラーを用いて読取対象に複数の方向から光を照射する画像読取装置が記載されている。【０００４】
特許文献２には、１本の導光体の複数位置に長手方向に伸びる進捗面が交差するように光変更面を配することで、１本の導光体から２分岐する導光体が開示されている（図２参照）。また、同特許文献には、１つの光変更面を有し、２つの出射部（光を出射する面を有する部位）を持つ導光体が開示されている（図９参照）。【０００５】
特許文献３には、線状光源と、その線状光源に平行に並設された棒状レンズと、棒状レンズの線状光源と反対側に棒状レンズと平行に且つ棒状レンズの第２の光軸面と交差する位置に並設された直線状リフレクタとを備える原稿読取用光源装置が開示されている。棒状レンズは、複数の第１の焦点を含む直線状の第１の線状焦点群を通る複数の光軸を含む第１の光軸面、及び、複数の第２の焦点を含む直線状の第２の線状焦点群を通る複数の光軸を含む第２の光軸面を有する。そして、第１の線状焦点群と第２の線状焦点群は、直線状リフレクタで反射された第２の光軸面と第１の光軸面が交差する位置の近傍に位置する。
【先行技術文献】
【特許文献】
【０００６】
【特許文献１】特開２００８−２１９２４４号公報
【特許文献２】特開２００８−２１６４０９号公報
【特許文献３】特許第５０８７３３７号公報
【発明の概要】
【発明が解決しようとする課題】
【０００７】
しかし、特許文献１及び特許文献２に開示された導光体は、いずれも導光体の光変更面が交差するように配されているため、製造時の工程が複雑になるという問題がある。【０００８】
特許文献２に開示された導光体では、同特許文献の図１０に示されるように、光変更面が全面に配されている。そのため、出射部５ａと５ｂの境界域からの出射光、つまり意図した方向以外からの迷光が発生してしまうという問題がある。また、導光体の断面積が小さくなり、入射面１ｇが小さくなるため、発光面の大きな輝度の高い光源とマッチングが悪いという問題がある。【０００９】
特許文献３に開示された原稿読取用光源装置では、第１の線状焦点群と第２の線状焦点群は、直線状リフレクタで反射された第２の光軸面と第１の光軸面が交差する位置の近傍に位置する。そのため、第１の光軸の光量と第２の光軸の光量とが同じになるので、光軸が長い第２の光軸の光が原稿面を照射する照度と、第１の光軸の光が原稿面を照射する照度とが異なるという問題がある。【００１０】
本発明は、上記のような問題点を解決するためになされたものであり、小型で組立が簡単で、かつ、照明効率の良い、２方向に光を出射する導光体、その導光体を用いた光源装置及び画像読取装置を得ることを目的とする。
【課題を解決するための手段】
【００１１】
上記目的を達成するため、第１の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、内部に入射した光を第１の出射部と第２の出射部とのそれぞれへ向けて反射する反射部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
反射部は、第１の出射部及び第２の出射部に対向する平面において、この平面の法線が第１の出射部と第２の出射部との接続部を通る位置から、長軸方向に直交する方向へずれた位置に設けられている。【００１２】
第２の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、第１の反射部と、第２の反射部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
第１の反射部は、第１の出射部に対向する平面に設けられる。第２の反射部は、第２の出射部に対向する平面に設けられる。
第１の出射部と第１の反射部との距離は、第２の出射部と第２の反射部との距離よりも短い。【００１３】
第３の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、第１の反射部と、第２の反射部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
第１の反射部は、第１の出射部に対向する平面に設けられる。第２の反射部は、第２の出射部に対向する平面に設けられる。
第１の反射部の面積は、第２の反射部の面積より広い。【００１４】
第４の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、第１の反射部と、第２の反射部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
第１の反射部は、第１の出射部に対向する平面に設けられる。第２の反射部は、第２の出射部に対向する平面に設けられる。
第１の出射光の光軸は、第２の出射光の光軸と交差する。【００１５】
第５の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、第１の反射部と、第２の反射部と、凹部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
第１の反射部は、第１の出射部に対向する平面に設けられる。第２の反射部は、第２の出射部に対向する平面に設けられる。
凹部は、第１の出射部と第２の反射部との間、及び、第２の出射部と第１反射部との間の一方又は両方に、長軸方向に延在する。【００１６】
第６の観点に係る発明は、光源装置であって、第１から第５の観点のいずれか１つに係る導光体と、導光体の第１の出射部に対向し、長軸方向に延在する反射体とを備える。導光体は、第２の出射光が被照射体を照射する。反射体は、導光体からの第１の出射光を反射して被照射体を照射する。【００１７】
第７の観点に係る発明は、画像読取装置であって、第６の観点に係る光源装置と、第２の出射光と反射体で反射した反射光とが被照射体で反射した散乱光を集束させる結像光学系と、結像光学系で集束された光を受光する受光部とを備える。【００１８】
第８の観点に係る発明は、画像読取装置であって、第１の出射光と第２の出射光とのそれぞれが被照射体を照射する第１から第５の観点のいずれか１つに係る導光体と、導光体からの第１の出射光と第２の出射光とが被照射体で反射した散乱光を集束させる結像光学系と、結像光学系で集束された光を受光する受光部とを備える。
【発明の効果】
【００１９】
本発明によれば、小型で組立が簡単で、かつ、照明効率の良い、２方向に光を出射する導光体、その導光体を用いた光源装置及び画像読取装置を得ることが可能になる。
【図面の簡単な説明】
【００２０】
【図１】本発明の実施の形態１に係る導光体の断面図である。
【図２】実施の形態１に係る導光体の光変更面方向から見た上面図である。
【図３】実施の形態１に係る導光体の、長手方向の断面における光路を示す図である。
【図４】実施の形態１に係る導光体の、短手方向の断面における光路を示す図である。
【図５】従来の構成を備える導光体の、短手方向の断面における光路を示す図である。
【図６】本発明の実施の形態２に係る導光体の断面図である。
【図７】実施の形態２に係る導光体の光変更面方向から見た上面図である。
【図８】実施の形態２に係る導光体の、短手方向の断面における光路を示す図である。
【図９】本発明の実施の形態３に係る導光体の断面図である。
【図１０】実施の形態３に係る導光体の、短手方向の断面における光路を示す図である。
【図１１】本発明の実施の形態４に係る導光体の断面図である。
【図１２】実施の形態４に係る導光体の、短手方向の断面における光路を示す図である。
【図１３】本発明の実施の形態５に係る導光体の断面図である。
【図１４】実施の形態５に係る導光体の、短手方向の断面における光路を示す図である。
【図１５】本発明の実施の形態６に係る導光体の断面図である。
【図１６】実施の形態６に係る導光体の、短手方向の断面における光路を示す図である。
【図１７】本発明の実施の形態７に係る導光体の断面図である。
【図１８】実施の形態７に係る導光体の、短手方向の断面における光路を示す図である。
【図１９】本発明の実施の形態８に係る導光体の短手方向の断面における光路を示す図である。
【図２０】実施の形態８に係る導光体とは異なり、切れ込みのない導光体の短手方向の断面における光路を示す図である。
【図２１】実施の形態８に係る導光体とは異なり、切れ込みのない導光体の短手方向の断面における光路を示す図である。
【図２２】実施の形態８に係る切れ込みを２つ入れた導光体の短手方向の断面における光路を示す図である。
【図２３】実施の形態８に係る切れ込みの方向を調整した導光体の短手方向の断面における光路を示す図である。
【図２４】実施の形態８に係る切れ込みの面角度を調整した導光体の短手方向の断面における光路を示す図である。
【図２５】実施の形態８に係る切れ込みに遮光部材を設けた導光体の短手方向の断面における光路を示す図である。
【図２６】本発明の実施の形態９に係る光源装置の構成を表す分解図である。
【図２７】実施の形態９に係る光源装置の光源部を表す分解図である。
【図２８】実施の形態９に係る光源装置の上面図である。
【図２９Ａ】実施の形態９に係る光源装置の、長手方向の端部近傍における断面拡大図である。
【図２９Ｂ】実施の形態９に係る光源装置の、長手方向の断面図である。
【図３０Ａ】実施の形態９に係る筐体を構成する板状部材の展開図である。
【図３０Ｂ】実施の形態９に係る導光体ホルダを構成する板状部材の展開図である。
【図３０Ｃ】実施の形態９に係るミラー設置面を構成する板状部材の展開図である。
【図３１Ａ】実施の形態９に係る光源装置の全体の、長手方向の断面における光路を示す図である。
【図３１Ｂ】実施の形態９に係る光源装置の端部近傍の、長手方向の断面における光路を示す図である。
【図３２】実施の形態９に係る光源装置の、短手方向の断面における光の経路を示す図である。
【図３３】本発明の実施の形態１０に係るイメージセンサを用いた画像読取装置の、主走査方向に垂直な断面図である。
【図３４】実施の形態１０に係る画像読取装置における分解図である。
【図３５】実施の形態１０に係る画像読取装置におけるガラス側を上にした外形図である。
【図３６】実施の形態１０に係る画像読取装置における信号処理基板側を上にした外形図である。
【図３７】本発明の実施の形態１１に係るイメージセンサを用いた画像読取装置の主走査方向に垂直な断面図である。
【発明を実施するための形態】
【００２１】
実施の形態１．
図１〜図４を用いて、本発明の実施の形態１に係る導光体の構成と動作を説明する。
【００２２】
図１は、本発明の実施の形態１に係る導光体の断面図である。図２は、本発明の実施の形態１に係る導光体の、光変更面方向から見た上面図である。図３は、本発明の実施の形態１に係る導光体の、長手方向（以下、「長軸方向」ともいう。）の断面における光路（光の経路）を示す図である。図４は、本発明の実施の形態１に係る導光体の、短手方向の断面における光路を示す図である。ここで、短手方向とは、状軸方向（長手方向）に直交する方向のうちのいずれか１方向をいい、以下においても同様である。
【００２３】
本実施の形態に係る導光体１は、長軸方向に延在し、長軸方向の端部に設けられる入射部から入射光が内部に入射するものである。導光体１は、導光体１の内部に入射した光を反射する光変更面１ａ（反射部）と、主光（第１の出射光）１ｈを出射する出射部１ｂ（第１の出射部）と、主光（第１の出射光）１ｈとは異なる方向に副光（第２の出射光）１ｉを出射する出射部１ｃ（第２の出射部）とを備える。
【００２４】
出射部１ｂは、長軸方向に直交する断面が凸状の第１の曲面（第１の出斜面）を有する。出射部１ｃは、長軸方向に直交する方向に出射部１ｂに連続（接続）しており、長軸方向に直交する断面が凸状の第２の曲面（第２の出斜面）を有する。
【００２５】
光変更面１ａは、主光１ｈの光軸と副光１ｉの光軸との交点に設けられる。光変更面１ａは、導光体１の内部に入射した光を出射部１ｂと出射部１ｃとのそれぞれへ向けて反射する。この光変更面１ａによって、導光体１の内部に入射した光は、導光体１の内部に入射した光を主光１ｈと副光１ｉとに変更（分岐）される。
【００２６】
出射部１ｂと出射部１ｃとは、長手方向に延びる線状の共通接続部（接続部）にて接続する。出射部１ｂと出射部１ｃとは、短手方向の断面において、凹状をなして共通接続部にて接続する。
【００２７】
光変更面１ａは、出射部１ｂ及び出射部１ｃに対向する平面に設けられる。光変更面１ａは、この平面に垂直であるとともに共通接続部を通る線から長軸方向に直交する方向に出射部（第１の出射部）１ｂ側に偏移している（ずれている）。すなわち、光変更面１ａは、第１の出射部１ｂ及び第２の出射部１ｃに対向する平面において、この平面の法線が第１の出射部１ｂと第２の出射部１ｃとの共通接続部を通る位置から、長軸方向に直交する方向へずれた位置に設けられている。
【００２８】
導光体１は、透明な樹脂で形成され、長手方向に延在する柱状の部材である。本実施の形態に係る導光体１は、長手方向の側面形状が３つの直線と、２つの曲線とで構成される（図１参照）。
【００２９】
詳細には、本実施の形態に係る導光体１は、長手方向全域に、光変更面１ａと、曲面を有する出射部１ｂ及び１ｃと、光変更面１ａが設けられる底面と、底面と出射部１ｂとをつなぐ側面１ｄと、底面と曲面上の出射部１ｃとをつなぐ側面１ｅとを有する。
【００３０】
光変更面１ａは、導光体１の長手方向に沿って形成された白色の印刷パターン又は凹凸形状のものである。出射部１ｂと出射部１ｃとの境界線となる長手方向に線状の凹部（共通接続部）から、光変更面１ａが設けられる底面へ法線を引いた場合、光変更面１ａは、その法線を介して、出射部１ｂ側に存在し、出射部１ｃ側には存在しないように偏移している（ずれている）。
【００３１】
図３に示すように、導光体１の長手方向の端部に設けられた入射面１ｇから入射した光は、導光体１の壁面において反射を繰り返して長手方向に進む。長手方向に進む光の一部が、光変更面１ａに入射する。光変更面１ａに入射した光の一部は、反射により、光変更面１ａと対向する出射部１ｂから、長手方向に伸びるライン状の主光１ｈとして出射される。光変更面１ａに入射した光の一部は、出射部１ｃから、長手方向に伸びるライン状の副光１ｉとして出射される。このように、１本の導光体から２方向に光を出射することができる。なお、光変更面１ａに入射しなかった光は、導光体１の内部で長手方向に導光され、入射面１ｇと逆側の端部の入射面１ｇから出射する。
【００３２】
図４に示すように、光変更面１ａで反射された光は、出射部１ｂと出射部１ｃとに入射し、出射部１ｂと出射部１ｃの曲面によって任意の配向角度に集光される。前述のように、光変更面１ａは、導光体１の長手方向に沿って形成された白色の印刷パターン又は凹凸形状のものである。また、出射部１ｂと出射部１ｃの境界線となっている長手方向に線状の凹部から底面へ法線を引いたとき、その法線を介して、底面の出射部１ｂ側に存在し、出射部１ｃ側には存在しない。そのため、主光１ｈの光強度を、副光１ｉの光強度に比べて十分に強くすることができる。主光１ｈと副光１ｉの配向角度は、出射部１ｂ及び出射部１ｃのそれぞれの形状により任意にコントロールすることができる。導光体１の底面１ｋで光変更面１ａが存在しない面は、導光体１の他面と同じように、内部の光を反射して長手方向に導く導光面としての役割を持つ。導光体１の底面１ｋと側面１ｄと側面１ｅとは、平面であり、これによって、機構組み付けを簡単にすることができる。
【００３３】
本発明の実施の形態１に係る導光体１の効果を説明するため、従来例について説明する。
【００３４】
図５は、従来の構成を備える導光体の短手方向の断面における光路を示す。同図では、光変更面１ａが、底面全体に設けられる。そのため、出射部１ｂと出射部１ｃとの境界線となっている線状の凹部から底面へ法線を引いた場合に、その法線を介して出射部１ｂ側に位置する部分以外の光変更面１ａ、すなわち、その法線を介して出射部１ｃ側に位置する部分と、出射部１ｂと出射部１ｃの境界線上に位置する部分とに設けられた光変更面１ａでの反射により、意図しない光が出射する。これにより、副光１ｉが増加するという問題が生じる。
【００３５】
また、光変更面１ａが短手方向に広いため、出射する光に様々な方向の光が含まれる。その結果、配向角度が広くなってしまうという問題が生じる。また、出射部１ｂと出射部１ｃの境界線上から底面に引いた法線上に位置する光変更面１ａからの光は、出射部１ｂと出射部１ｃの境界線上から出射する迷光となり、意図した２方向のみの光を得ることが困難になる。
【００３６】
本実施の形態に係る導光体１によれば、意図しない光の出射を抑制することができる。その結果、意図した２方向に分岐した光を得ることが可能になる。
【００３７】
実施の形態２．
図６〜図８を用いて、本発明の実施の形態２に係る導光体の構成と動作を説明する。
【００３８】
図６は、本発明の実施の形態２に係る導光体の断面図である。図７は、本発明の実施の形態２に係る導光体の光変更面方向から見た上面図である。図８は、本発明の実施の形態２に係る導光体の短手方向の断面における光路を示す図である。図６〜図８において、図１〜図４と同一若しくは同等の構成要素には同一符号を付し、その説明を省略する。
【００３９】
本実施の形態に係る導光体１は、実施の形態１に係る導光体１が備える構成に加えて、光変更面１Ｌを備える。第１の反射部としての光変更面１ａは、出射部（第１の出射部）１ｂに対向する底面（平面）１ｋに設けられる。第２の反射部としての光変更面１Ｌは、出射部（第２の出射部）１ｃに対向する底面（平面）１ｍに設けられる。出射部１ｂと光変更面１ａとの距離は、出射部１ｃと光変更面１Ｌとの距離よりも短い。出射部１ｂと出射部１ｃとは、導光体１の長手方向に直交する断面において、凹状をなして共通接続部にて接続する。（図６参照）。光変更面１ａと光変更面１Ｌとは、導光体１の長手方向に直交する方向に並行に配置される（図７参照）。
【００４０】
導光体１は、透明な樹脂で形成され、長手方向に延在する柱状の部材である。本実施の形態に係る導光体１は、長手方向の側面形状が５つの直線と、２つの曲線とで構成される（図６参照）。
【００４１】
詳細には、本実施の形態に係る導光体１は、長手方向全域に、光変更面１ａと、曲面を有する出射部１ｂ及び１ｃと、光変更面１ａが設けられる底面１ｋと、底面１ｋと出射部１ｂとをつなぐ側面１ｄと、光変更面１Ｌが設けられる底面１ｍと、底面１ｍと出射部１ｃをつなぐ側面１ｅと、底面１ｋと底面１ｍをつなぐ側面とを有する。
【００４２】
光変更面１ａは、導光体１の長手方向に沿って形成された白色の印刷パターン又は凹凸形状のものであり、出射部１ｂに対向する。光変更面１Ｌは、導光体１の長手方向に沿って形成された白色の印刷パターン又は凹凸形状のものであり、出射部１ｃに対向し、底面１ｋと底面１ｍとは平行である。出射部１ｂと光変更面１ａとの距離は、出射部１ｃと光変更面１Ｌとの距離より短い。光変更面１ａと光変更面１Ｌとは、導光体１の長手方向に直交する方向に並行に配置される（図７参照）。
【００４３】
図８に示すように、光変更面１Ｌで反射された光は、出射部１ｂと出射部１ｃに入射し、出射部１ｂと出射部１ｃの曲面によって任意の配向角度に集光される。光変更面１ａで反射された光は、出射部１ｂに入射し、出射部１ｂの曲面によって任意の配向角度に集光される。すなわち、出射部１ｂと光変更面１ａとの距離が、出射部１ｃと光変更面１Ｌとの距離より短いので、光変更面１Ｌで反射された光は、出射部１ｂと出射部１ｃに入射するが、光変更面１ａで反射された光は、出射部１ｃには入射しない。
【００４４】
そのため、主光１ｈの光強度を、副光１ｉの光強度に比べて十分に強くすることができる。光変更面１ａ、１Ｌは、導光体１の長手方向に沿って形成された白色の印刷パターン又は凹凸形状のものである。主光１ｈと副光１ｉの配向角度は、出射部１ｂと出射部１ｃの形状により任意にコントロール可能である。導光体１の底面１ｋ、１ｍで光変更面１ａ、１Ｌが存在しない面は、導光体１の他面と同じように導光面としての役割を持つ。導光体１の底面と側面１ｄと側面１ｅは、平面であり、これによって、機構組み付けを簡単にすることができる。
【００４５】
本実施の形態に係る導光体１によれば、１本の導光体１から２方向に光を出射することができる。
【００４６】
実施の形態３．
図９〜図１０を用いて、本発明の実施の形態３に係る導光体の構成と動作を説明する。
【００４７】
図９は、本発明の実施の形態３に係る導光体の断面図である。図１０は、本発明の実施の形態３に係る導光体の短手方向の断面における光路を示す図である。図９、図１０において、図６〜図８と同一若しくは同等の構成要素には同一符号を付し、その説明を省略する。
【００４８】
導光体１は、透明な樹脂で形成され、長手方向に延在する柱状の部材である。本実施の形態に係る導光体１は、長手方向に直交する（すなわち、短手方向の）断面において、長手方向の側面形状が５つの直線と、２つの曲線とで構成される（図９参照）。
【００４９】
詳細には、本実施の形態に係る導光体１は、長手方向全域に延在する光変更面１ａを備える底面１ｋと、長手方向全域に延在する光変更面１Ｌを備える底面１ｍとを有する。底面１ｍは、丸型の導光体に対して外側に位置する。底面１ｋと底面１ｍとは、側面１ｄで滑らかにつながる。出射部１ｂと底面１ｍとは、側面１ｅで滑らかにつながる。すなわち、光変更面１ａと光変更面１Ｌとは、それぞれの法線が異なる方向を向いている（図９参照）。導光体１は、長手方向に直交する断面において、側面１ｄと側面１ｅと底面１ｍとにより、丸形状から外方へ突き出す凸形状をなす。
【００５０】
光変更面１ａは、導光体１の長手方向に沿って形成された白色の印刷パターン又は凹凸形状のものであり、長手方向に直交する断面において、丸型の外周に配置される。出射部１ｂが有する第１の曲面と、出射部１ｃが有する第２の曲面とは、同じ曲率であって、出射部１ｂと出射部１ｃは、滑らかな曲面で連続している。出射部１ｂと光変更面１ａとの距離は、出射部１ｃと光変更面１Ｌとの距離より短い。
【００５１】
図１０に示すように、光変更面１ａで反射された光は、出射部１ｂによって任意の配向角度に集光される。一方、光変更面１Ｌで反射された光は、出射部１ｃによって任意の配向角度に集光される。出射部１ｂから出射される主光１ｈの光軸は、出射部１ｃから出射される副光１ｉの光軸と交差する。
【００５２】
前述のように、光変更面１Ｌは、長手方向に直交する断面において、導光体１の円形状に対して凸形状を形成したものの先端部に配置されており、長手方向に沿って形成された白色の印刷パターン又は凹凸形状のものである。
【００５３】
底面１ｍは、長手方向に直交する断面において、円形状をなす部分に対して十分に突出している。そのため、側面１ｄと側面１ｅとの反射により光の方向をコントロールすることができる。
【００５４】
本実施の形態に係る導光体１によれば、１本の導光体から２方向に光を出射することができる。
【００５５】
また、光変更面１ａから出射部１ｂまで距離は、光変更面１Ｌから出射部１ｃまでの距離より短い。そのため、出射部１ｂから出射される主光１ｈの光量は、出射部１ｃから出射される副光１ｉの光量よりも強い。
【００５６】
実施の形態４．
図１１〜図１２を用いて、本発明の実施の形態４に係る導光体の構成と動作を説明する。図１１は、本発明の実施の形態４に係る導光体の断面図である。図１２は、本発明の実施の形態４に係る導光体の短手方向の断面における光路を示す図である。図１１、図１２において、図９、図１０と同一若しくは同等の構成要素には同一符号を付し、その説明を省略する。
【００５７】
本実施の形態に係る導光体１は、透明な樹脂で形成され、長手方向に延在する。本実施の形態に係る導光体１は、短手方向の断面において、共通の弦を有するように２つの円（丸型）１１０，１１１をつなげた形状をなす。本実施の形態に係る導光体１は、長手方向全域に延在する光変更面１ａを備える底面１ｋと、長手方向全域に延在する光変更面１Ｌを備える底面１ｍを有する。底面１ｍは、短手方向の断面において、丸型の導光体に対して外側に位置する。底面１ｋと底面１ｍとは、曲面形状の側面１ｄでつながる。出射部１ｂと底面１ｍとは、曲面形状の側面１ｅでつながる。
【００５８】
本実施の形態に係る導光体１は、長手方向に直交する断面において丸形状をなし、長手方向に延びる柱状の部材である。光変更面１ａは、導光体１の長手方向に沿って形成された白色の印刷パターン又は凹凸形状のものである。光変更面１ａは、短手方向の断面において、丸型１１０の外周に配置される。出射部１ｂと出射部１ｃは、短手方向の断面において、丸型１１０の異なる部分に形成され、滑らかな曲面で連続している。また、底面１ｍの法線は、２つの円１１０、１１１の中心の延長上にある。出射部１ｂと光変更面１ａとの距離は、出射部１ｃと光変更面１Ｌとの距離より短い。
【００５９】
図１２に示すように、光変更面１ａで反射された光は、出射部１ｂによって任意の配向角度に集光される。一方、光変更面１Ｌで反射された光は、出射部１ｃによって任意の配向角度に集光される。出射部１ｂから出射される主光１ｈの光軸は、出射部１ｃから出射される副光１ｉの光軸と交差する。
【００６０】
前述のように、光変更面１Ｌは、長手方向に直交する断面において、導光体１の円形状１１０に対して凸形状を形成したものの先端部に配置されており、長手方向に沿って形成された白色の印刷パターン又は凹凸形状のものである。
【００６１】
底面１ｍは、長手方向に直交する断面において、円１１０に対して十分に突出している。そのため、２つの円１１０、１１１を接続する部分の遮蔽効果により光の方向をコントロールすることができる。
【００６２】
本実施の形態に係る導光体１によれば、１本の導光体から２方向に光を出射することができる。
【００６３】
また、光変更面１ａから出射部１ｂまで距離は、光変更面１Ｌから出射部１ｃまでの距離より短い。そのため、出射部１ｂから出射される主光１ｈの光量は、出射部１ｃから出射される副光１ｉの光量よりも強い。
【００６４】
実施の形態５．
図１３〜図１４を用いて、本発明の実施の形態５に係る導光体の構成と動作を説明する。図１３は、本発明の実施の形態５に係る導光体の断面図である。図１４は、本発明の実施の形態５に係る導光体の短手方向の断面における光路を示す図である。図１３、図１４において、図９、図１０と同一若しくは同等の構成要素には同一符号を付し、その説明を省略する。
【００６５】
導光体１は、透明な樹脂で形成され、長手方向に延在する柱状の部材である。本実施の形態に係る導光体１は、短手方向の断面において、円に長方形の３辺をつなげた形状をなす（図１３参照）。
【００６６】
本実施の形態に係る導光体１は、長手方向全域に延在する光変更面１Ｌを備える底面１ｍと、長手方向全域に延在する光変更面１ａを備える平面１ｋとを有する。平面１ｋは、出射部１ｃに滑らかにつながる。底面１ｍは、短手方向の断面において丸型の部分に対して外側に位置する。一方の側面（側壁部）１ｄは、平面である。短手方向の断面において、一方の側面（側壁部）１ｄは、一端が底面（第２の出射部１ｃに対向する平面）１ｍの一端（図１３の左端）に直交する。かつ、短手方向の断面において、一方の側面（側壁部）１ｄは、他端が第１の出射部１ｂの第１の曲面に接続して延びる（出射部１ｂと滑らかにつながる）。短手方向の断面において、他方の側面１ｅは、一端が底面１ｍの他端（図１３の右端）に直交し、かつ、他端が平面１ｋの一端（図１３で下方に位置する端）とつながる。また、平面１ｋと底面１ｍは、それぞれの法線が異なる方向を向いている。
【００６７】
光変更面１ａは、導光体１の長手方向に沿って形成された白色の印刷パターン又は凹凸形状のものであり、短手方向の断面において丸型の外周に位置する。第１の曲面と第２の曲面とは、同じ曲率の曲面であり、出射部１ｂと出射部１ｃは、滑らかな曲面で連続している。出射部１ｂと光変更面１ａとの距離は、出射部１ｃと光変更面１Ｌとの距離より短い。
【００６８】
図１４に示すように、光変更面１ａで反射された光は、出射部１ｂによって任意の配向角度に集光される。一方、光変更面１Ｌで反射された光は、出射部１ｃによって任意の配向角度に集光される。また、側面１ｄは、反射部１Ｌで反射された光を出射部１ｃへ反射するとともに、導光体１の長軸方向へ導光する。底面１ｍは、長手方向に直交する断面において、円に対して十分に突出している。そのため、側面１ｄと側面１ｅとの反射により光の方向をコントロールすることができる。
【００６９】
本実施の形態に係る導光体１によれば、１本の導光体から２方向に光を出射することができる。
【００７０】
また、光変更面１ａから出射部１ｂまで距離は、光変更面１Ｌから出射部１ｃまでの距離より短い。そのため、出射部１ｂから出射される主光１ｈの光量は、出射部１ｃから出射される副光１ｉの光量よりも強い。
【００７１】
実施の形態６．
図１５〜図１６を用いて、本発明の実施の形態６に係る導光体の構成と動作を説明する。
【００７２】
図１５は、本発明の実施の形態６に係る導光体の断面図である。図１６は、本発明の実施の形態６に係る導光体の短手方向の断面における光路を示す図である。図１５、図１６において、図９、図１０と同一若しくは同等の構成要素には同一符号を付し、その説明を省略する。
【００７３】
導光体１は、透明な樹脂で形成され、長手方向に延在する柱状の部材である。本実施の形態に係る導光体１は、長手方向に直交する断面において、円に楕円をつなげた形状をなす（図１５参照）。
【００７４】
本実施の形態に係る導光体１は、長手方向全域に延在する光変更面１Ｌを備える底面１ｍと、長手方向全域に延在する光変更面１ａを備える平面１ｋとを有する。平面１ｋは、出射部１ｃに滑らかにつながる。底面１ｍは、長手方向に直交する断面において、丸型の導光体に対して外側に位置する。底面１ｍの一方の側面１ｄは、曲面であって、短手方向の断面において凸状である。短手方向の断面において、一方の側面（側壁部）１ｄは、一端が第２の出射部１ｃに対向する平面の一端（図１５の左端）に直交する。かつ、短手方向の断面において、一方の側面（側壁部）１ｄは、他端が第１の出射部１ｂの第１の曲面に接続して延びる。底面１ｋの他方の側面１ｅは、平面１ｋとつながる。
【００７５】
側面１ｄと側面１ｅとは、それぞれの焦点が光変更面１Ｌに一致しており、光変更面１Ｌで散乱された光を平行光として反射する。また、平面１ｋと底面１ｍは、それぞれの法線が異なる方向を向いている。
【００７６】
光変更面１ａは、導光体１の長手方向に沿って形成された白色の印刷パターン又は凹凸形状のものであり、長手方向に直交する断面において、丸型の外周に配置される。出射部１ｂは、滑らかな曲面（第１の曲面）を有し、平面である出射部１ｃと連続している。本実施の形態では出射部１ｃを平面としているが、曲面であってもよい。
【００７７】
図１６に示すように、光変更面１ａで反射された光は、出射部１ｂによって任意の配向角度に集光される。一方、光変更面１Ｌで反射された光は、出射部１ｃによって任意の配向角度に集光される。また、側面１ｄは、反射部１Ｌで反射された光を出射部１ｃへ反射するとともに、導光体１の長軸方向へ導光する。底面１ｍは、長手方向に直交する断面において、円に対して十分に突出している。そのため、側面１ｄと側面１ｅとの反射により光の方向をコントロールすることができる。
【００７８】
本実施の形態に係る導光体１によれば、１本の導光体から２方向に光を出射することができる。
【００７９】
実施の形態７．
図１７〜図１８を用いて、本発明の実施の形態７に係る導光体の構成と動作を説明する。
【００８０】
図１７は、本発明の実施の形態７に係る導光体の断面図である。図１８は、本発明の実施の形態７に係る導光体の短手方向の断面における光路を示す図である。図１７、図１８において、図９、図１０と同一若しくは同等の構成要素には同一符号を付し、その説明を省略する。
【００８１】
導光体１は、透明な樹脂で形成され、長手方向に延在する柱状の部材である。本実施の形態に係る導光体１は、長手方向に直交する断面において、円に４つの直線をつなげた形状をなす。
【００８２】
本実施の形態に係る導光体１は、長手方向全域に延在する光変更面１ａを備える底面１ｋと、長手方向全域に延在する光変更面１Ｌを備える底面１ｍとを有する。一方の側面１ｆは、出射部１ｃと滑らかにつながる。他方の側面１ｆは、出射部１ｂと滑らかにつながる。一方の側面１ｆと他方の側面１ｆとは、底面１ｋ及び底面１ｍを介してつながる。また、平面１ｍと底面１ｋは、それぞれの法線が異なる方向を向いている。出射部１ｂと出射部１ｃとは、滑らかな曲面で連続している。光変更面１ａの面積は、光変更面１Ｌの面積より広い。すなわち、光変更面１ａの短手方向の長さは、光変更面１Ｌの短手方向の長さより長い。
【００８３】
図１８に示すように、光変更面１ａで反射された光は、出射部１ｂによって任意の配向角度に集光される。一方、光変更面１Ｌで反射された光は、出射部１ｃによって任意の配向角度に集光される。
【００８４】
本実施の形態に係る導光体１によれば、１本の導光体から２方向に光を出射することができる。
【００８５】
光変更面１ａの面積は光変更面１Ｌの面積より広く構成されているので、出射部１ｂから出射される主光１ｈの光量は、出射部１ｃから出射される副光１ｉの光量よりも強い。
【００８６】
実施の形態８．
図１９〜図２５を用いて、本発明の実施の形態８に係る導光体の構成と動作を説明する。
【００８７】
図１９は、本発明の実施の形態８に係る導光体の短手方向の断面における光路を示す図である。図１９〜図２５において、図９、図１０と同一若しくは同等の構成要素には同一符号を付し、その説明を省略する。
【００８８】
導光体１は、透明な樹脂で形成され、長手方向に延在する柱状の部材である。本実施の形態に係る導光体１は、長手方向に直交する断面において、円形状をなす。
【００８９】
第１出射部１ｂと光変更面１Ｌの間の側面１ｆには、長手方向全域に切れ込み（凹部）１ｐが設けられている。切れ込み１ｐは、平面状の側面１ｆと平面状の側面１ｒとで形成される。側面１ｆと側面１ｒとは、短手方向の断面において、直交している。切れ込み１ｐの側面１ｆは、短手方向の断面において、主光１ｈの光軸に平行である。
【００９０】
本実施の形態に係る導光体１は、長手方向全域に延在する光変更面１ａを備える底面１ｋと、長手方向全域に延在する光変更面１Ｌを備える底面１ｍとを有する。出射部１ｃと出射部１ｂとは、短手方向の断面において、滑らかな曲面で連続しており、滑らかにつながる。切れ込み１ｐの他方の側面１ｆは、短手方向の断面において、出射部１ｂと滑らかにつながる。一方の側面１ｆと他方の側面１ｒとは、短手方向の断面において、上述のように直交している。他方の側面１ｒは、短手方向の断面において、底面１ｋ、底面１ｍ、出射部１ｃとに滑らかに連続する曲面１ｅなどを介してつながる。また、平面１ｍと底面１ｋとは、それぞれの法線が異なる方向を向いている。
【００９１】
図２０に示す導光体１は、側面に切れ込みがない点で図１９に示す導光体１と異なっており、光変更面１Ｌの散乱が大きい。この場合、副光１ｉは、その幅が広がるので、主光１ｈと重なる。この状態で被照射体（読取対象）に光が照射されると、被照射体に対して副光１ｉが大きな入射角度を持つことになる。そのため、被照射体が載置されるガラスと被照射体の距離が、その位置によってばらついている場合に照明位置がずれ、明るさが大きく変化する原因となる。そこで、図１９に示すように、導光体１の側面に切れ込み１ｐを設けることによって、副光１ｉの幅が広がる原因となる光路を遮断できる。
【００９２】
図２１は、光変更面１ａと光変更面１Ｌとの両方の散乱角度が大きい導光体１を示す。この導光体１についても、図２２に示すように、側面に切れ込み１ｐ及び１ｑを設けることによって、主光１ｂと副光１ｉとの重なりを抑制することができる。ここで、切れ込み１ｐは、平面状の側面１ｆと平面状の側面１ｒとで形成される。側面１ｆと側面１ｒとは直交する。切れ込み１ｑは、平面状の側面１ｅと平面状の側面１ｎとで形成される。側面１ｅと側面１ｎとは直交する。また、側面１ｆは主光１ｈの光軸に平行である。側面１ｅは、副光１ｉの光軸に平行である。
【００９３】
図２２に示す導光体１では、切れ込み１ｐの側面１ｆが、主光１ｈの光軸に平行となり、切れ込み１ｑの側面１ｅが、副光１ｉの光軸に平行となるように切れ込み１ｐ、１ｑが設けられている。この場合、主光１ｈと副光１ｉとの出射角度の平均値の角度に対して直角な方向に金型を開く必要があるため、出射部１ｃと出射部１ｂとの間に金型の継ぎ目ができることになる。出射部１ｃと１ｂの間に金型の継ぎ目線が、出射光を屈折させてしまうことがある。そのため、他の変形例として、図２３に示す導光体１のように、切れ込み１ｐの側面１ｆが、主光１ｈの光軸に平行となり、切れ込み１ｑの側面１ｎが、主光１ｈの光軸に平行になるように切れ込み１ｐ、１ｑが設けられるとよい。これによって、金型が主光１ｈ方向に抜けるため、出射部１ｃと１ｂの間に継ぎ目線ができることを防止できる。
【００９４】
図２３に示す導光体１の切れ込みだけでは、切れ込み１ｑの側面から光が一度出射し、もう一度切れ込み１ｑから入射する光路１ｈ’が生じる。これにより、主光１ｈの幅が広がってしまうことがある。そこで、この光路によって主光１ｈが広がらないよう、他の変形例として、図２４に示す導光体１のように切れ込み１ｐ、１ｑの側面に角度をつけてもよい。すなわち、側面１ｅと側面１ｎとの交差角度、及び、側面１ｆと側面１ｒとの交差角度が鈍角となるように、側面１ｅ及び１ｎと、側壁１ｆ及び１ｒとが形成されるとよい。
【００９５】
また、図２５に示す導光体１のように、切れ込み１ｐ、１ｑに収まるような遮光部材３０を設けることによって、遮光されてもよい。なお、遮光部材３０は、金属や白樹脂のような反射率の高い材料で作製されるとよい。これにより、導光体１から漏れた光を、導光体１の内部へ再び入射させることができるので、照明光量を増加させることが可能になる。
【００９６】
実施の形態９．
本発明の実施の形態９に係る光源装置について、図を用いて説明する。本実施の形態では、実施の形態１に係る導光体１を用いた２分岐線状光源装置について説明する。
【００９７】
図２６は、本発明の実施の形態９に係る２分岐線状光源装置の構成を表す分解図である。図２７は、本発明の実施の形態９に係る２分岐線状光源装置の光源部を表す分解図である。図２８は、本発明の実施の形態９に係る２分岐線状光源装置の上面図である。図２９Ａは、本発明の実施の形態９に係る２分岐線状光源装置の、長手方向の端部近傍における断面図である。図２９Ｂは、本発明の実施の形態９に係る２分岐線状光源装置の、長手方向における断面図である。図３０Ａは、本発明の実施の形態９に係る筐体を構成する板状部材の展開図である。図３０Ｂは、本発明の実施の形態９に係る導光体ホルダを構成する板状部材の展開図である。図３０Ｃは、本発明の実施の形態９に係るミラー設置面を構成する板状部材の展開図である。図３１Ａは、本発明の実施の形態９に係る２分岐線状光源装置の、長手方向の断面における光の経路を示す図である。図３１Ｂは、本発明の実施の形態９に係る２分岐線状光源装置の端部近傍（発光体部近傍）の、長手方向の断面における光の経路を示す図である。図３２は、本発明の実施の形態９に係る２分岐線状光源装置の、短手方向の断面における光の経路を示す図である。
【００９８】
図２６〜図３２を用いて、実施の形態９に係る２分岐線状光源装置の構成と動作を説明する。導光体１は、実施の形態１で述べたように、透明な樹脂で形成され、長手方向に延在する柱状の部材であって、長手方向全域の光変更面１ａと曲面上の出射部１ｂ、１ｃとを有する。
【００９９】
ミラー（反射体）１２は、導光体１と長手方向に平行に配列され、導光体１から出射される副光１ｉを反射し、原稿設置台方向に照射する。ミラー１２は、例えば、金属蒸着面などで構成され、長手方向に延在し、薄い板状あるいはシート状のものである。ミラー１２は、筐体６のミラー設置面６ｇに接着などにより固定されており、導光体１及び原稿設置台に対して適切な距離と角度が保持される。
【０１００】
発光体２は、ＬＥＤ光源などの光源素子であり、はんだ接合などによって発光体実装基板４に固定されている。発光体２は、発光体実装基板４により電流駆動され発光する。発光体２は、導光体１の長手方向の一方の端面から光を入射させる。
【０１０１】
発光体３は、ＬＥＤ光源などの光源素子であり、はんだ接合などによって発光体実装基板５に固定される。発光体３は、発光体実装基板５により電流駆動され発光する。発光体３は、導光体１の発光体２がある側と逆側の端面から光を入射させる。
【０１０２】
光学フィルタ１０は、ガラスやＰＥＴ樹脂シートなどを基材として光学特性を変換する部材である。光学フィルタ１０は、例えば蛍光体などを用いて励起光を得るものや、バンドパスフィルタなどの不要な波長を除去するものである。光学フィルタ１０は、接着などによってホルダ８に固定される。光学フィルタ１０は、発光体２と導光体１の間に発光体２と対向するように配置されてもよく、発光体３と導光体１の間に発光体３と対向するように配置されてもよい。
【０１０３】
ホルダ８は、発光体実装基板４と光学フィルタ１０とフィン９とを保持し、発光体２、発光体３及び導光体１からの意図しない光を抑制するものである。ホルダ８の長手方向の一方の端面に、導光体ホルダ７の一方の端面を含む端部が挿入されるとよい。ホルダ８の長手方向の逆側の端面に、発光体実装基板４及び発光体２と、導光体１とが対向するように配置されてもよい。また、ホルダ８の長手方向の一方の端面に、導光体ホルダ７の一方の端面を含む端部が挿入され、ホルダ８の長手方向の逆側の端面に発光体実装基板５及び発光体３と導光体１が対向するように配置されてもよい。
【０１０４】
ホルダ８は、導光体ホルダ７の端部を挿入する側に光学フィルタ１０を保持する面を有する。その逆側の面に、ホルダ８は、発光体実装基板４あるいは発光体実装基板５を固定する面を有する。ホルダ８の、発光体実装基板４を固定する面は、発光体２と同等の大きさの開口を有する。光学フィルタ１０を保持する面は、導光体１と同等の大きさの開口を有する。また、ホルダ８の、発光体実装基板５を固定する面は、発光体３と同等の大きさの開口を有する。光学フィルタ１０を保持する面は、導光体１と同等の大きさの開口を有する。
【０１０５】
つまり、発光体２又は発光体３の面積が導光体１の端面より十分に小さい場合に、ホルダ８は、テーパ構造を有する。そして、後述する導光体ホルダ７の溝部の開口側に対応する部分が、その他の部分に比べ、導光体１側へ突出する形状をなす。
【０１０６】
導光体ホルダ７は、光反射性の良い金属などの薄板で形成され、長手方向に長溝で構成した溝部７ｄを有する。溝部７ｄに導光体１が配置されて、長手方向に導光体１が保持される。溝部７ｄの開口側が、導光体１から光が出射される出射部となる。
【０１０７】
導光体ホルダ７は、導光体保持孔７ａと、導光体保持孔７ｂと、導光体保持孔７ｃとを備える。導光体保持孔７ａは、長溝内部の底面、かつ、長手方向の中央部に形成される。導光体保持孔７ｂは、開口側の内面、かつ、長手方向の中央部と端部との間に形成される。導光体保持孔７ｃは、開口側の内面かつ長手方向の中央部と導光体保持孔７ｂとは逆側にある端部との間に形成される。
【０１０８】
導光体ホルダ７は、導光体１をミラー１２と筐体６とに対して適切な位置に保持し、側面や光変更面１ａの裏面からの漏れ光を導光体１内に戻すことができる。これにより、出射部１ｂ及び出射部１ｃ以外からの意図しない光の出射を抑制することができる。
【０１０９】
また、導光体ホルダ７の導光体１を保持する長溝の開口側には、長手方向に沿ってヘミング曲げ等で折り曲げる加工が施されている。これによって、板金切断面を開口方向から見え難いように構成される。
【０１１０】
筐体６は、鉄材やアルミニウム材などの加工性の良い板金によって形成されている。図３０において２点鎖線で示す箇所で板状部材を内側に折り曲げることにより、船型の筐体６が形成される。
【０１１１】
すなわち、矩形形状をなす底部の一方の長辺にて板状部材を内側に折り曲げることによって、長辺側壁部が形成される。また、板状部材は、底部の他方の長辺にて、底部の短辺方向から予め定められた角度で内側に折り曲げられる。さらに、底部の短辺にて板状部材を内側に折り曲げることによって、短辺側壁部が形成される。折り曲げの順序は適宜変更されてよいが、このように板状部材を折り曲げることによって、筐体６が形成される。筐体６の長辺側壁部は、ヘミング曲げなどの折り曲げ加工が施されており、板金切断面が開口方向から見え難いように構成される。
【０１１２】
筐体６は、保持孔（導光体ホルダ保持孔）６ａと、保持孔（導光体ホルダ保持孔）６ｂと、保持孔（導光体ホルダ保持孔）とを備える。保持孔６ａは、底面の長手方向の中央部に形成される。保持孔６ｂは、底面の保持孔６ａと端部との間に形成される。保持孔６ｃは、底面の保持孔６ａと、保持孔６ｂがある方と逆側の端部との間に形成される。
【０１１３】
筐体６は、さらに、長手方向に沿って底面に形成されたアパーチャ６ｄと、照明装置取り付け孔６ｅとを備える。これによって、導光体ホルダ７及びミラー１２を長手方向かつ短手方向かつ高さ方向に固定する。
【０１１４】
保持孔６ａは、筐体６の底面に設けられる丸穴である。保持孔６ａは、長手方向の中央、かつ、短手方向でアパーチャ６ｄと導光体ホルダ押さえ６ｆとの間、かつ、導光体ホルダ７の底面の短手方向の中央に設けられる。導光体ホルダ７のピン７ｅが保持孔６ａに挿入されることにより、導光体ホルダ７の長手方向と短手方向との位置が固定される。
【０１１５】
保持孔６ｂは、筐体６底面に設けられる、長手方向に長い長穴である。保持孔６ｂは、長手方向の片側端部、かつ、短手方向でアパーチャ６ｄと筐体６の長手方向の側面部との間、かつ、導光体ホルダ７の底面の短手方向の中央に設けられる。導光体ホルダ７のピン７ｆが保持孔６ｂに挿入されることにより、導光体ホルダ７の長手方向と短手方向との位置が固定される。
【０１１６】
保持孔６ｃは、筐体６の底面に設けられる、長手方向に長い長穴である。保持孔６ｃは、長手方向の保持孔６ｂがある側と逆側の端部、かつ、短手方向でアパーチャ６ｄと筐体６の長手方向の側面部の間、かつ、導光体ホルダ７の底面の短手方向の中央に設けられる。導光体ホルダ７のピン７ｇが保持孔６ｃに挿入されることにより、導光体ホルダ７の長手方向と短手方向との位置が固定される。
【０１１７】
アパーチャ６ｄは、筐体６の底面の長手方向に沿って形成された穴である。アパーチャ６ｄは、読取対象の画像情報（照射した光の読取対象における散乱反射光）を撮像体（レンズ及びイメージセンサ）に伝え、それ以外の不要な光を抑制する。
【０１１８】
照明装置取り付け孔６ｅは、光源装置を読み取り装置に固定するために、筐体６の底面の長手方向の両端部に設けられる孔である。
【０１１９】
ミラー設置面６ｇは、ミラー１２を保持する部材である。ミラー設置面６ｇは、長手方向に延在し、かつ、短手方向にアパーチャ６ｄの外側に配置される。ミラー設置面６ｇは、任意の角度でミラー１２を精度良く保持することができる。
【０１２０】
仮にミラー設置面６ｇが、直接に筐体６の底面と連続して設けられると、ミラー１２の設置角度を規定するミラー設置面６ｇがアパーチャ６ｄに近接しすぎてしまい、十分な精度で加工することが難しい。本実施の形態に係るミラー設置面６ｇは、直接に筐体６の底面と連続して設けられるのではなく、筐体６の底面から垂直に立ち上げられた面に取り付けられる。そのため、ミラー設置面６ｇが精度良くミラー１２を保持することができる。
【０１２１】
ミラー設置面６ｇは全長にわたるものではなく、ミラー設置面６ｇがない筐体底面と隣接してアパーチャ６ｄに対してミラー設置面６ｇ側にある面は筐体底面に垂直に折り曲げることにより、筐体強度を高めることができる。また、底面と対抗する方向に折り曲げて光源装置の設置面としても良い。ミラー設置面６ｇはミラー１２がたわまないように十分な面積を持つ（ミラー１２の重さ及び剛性によって最適なミラー設置面６ｇの面積と配置箇所は異なる）。
【０１２２】
フィン９は、図２９Ａに示すように、筐体６の長手方向においてアパーチャ６ｄと照明装置取り付け孔６ｅとの間に設けられるホルダ保持孔６ｊにネジ１３を挿設することにより、発光体実装基板４及び伝熱体１５とともにホルダ８に固定される。なお、発光体実装基板４は、例えば、粘着剤、接着剤などによって伝熱体１５に固定されてもよい。
【０１２３】
導光体ホルダ７は、導光体１を保持する部材である。導光体ホルダ７は、発光体２及び３から発せられる光と導光体１から射出される光とが、意図しない箇所から光源装置の外部へ漏れ出すことを抑制する。
【０１２４】
導光体ホルダ７は、薄型の板材を用いて形成され、圧着、接着などで筐体６に固定される。導光体ホルダ７は、筐体６の全長より短く、導光体ホルダ７の端面とホルダ８の端面とは対向する。これらの端面間の隙間は、導光体ホルダ７及びホルダ８の長さ方向において、導光体ホルダ７の温度特性により伸びる長さよりも長い。
【０１２５】
導光体ホルダ７は、導光体１の出射部１ｃ及び出射部１ｂを露出させる開口を有する。導光体１を保持する部分の両端は、ホルダ８に挿入される。
【０１２６】
伝熱体１５は、熱を伝える部材であって、例えばシート状のシリコーンシートなどの密着性と熱伝導性が良い材料で作られる。伝熱体１５は、発光体実装基板４とフィン９との間、及び、発光体実装基板５とフィン９との間に配置される。
【０１２７】
フィン９及び筐体６は、発光体２及び発光体３を冷却する。詳細には、発光体２が発した熱は、発光体実装基板４を通じて伝熱体１５とフィン９とへ伝わり、さらに筐体６へ伝わり、筐体６全体に分散する。発光体３が発した熱は、発光体実装基板５を通じて伝熱体１５とフィン９とへ伝わり、さらに筐体６へ伝わり、筐体６全体に分散する。
【０１２８】
図３１Ａは、実施の形態９に係る光源装置の全体の、長手方向の断面における光路を示す図である。図３１Ｂは、実施の形態９に係る光源装置の端部近傍の、長手方向の断面における光路を示す図である。図３２は、本発明の実施の形態９に係る光源装置の、短手方向の断面における光路を示す図である。
【０１２９】
発光体２及び発光体３から導光体１に入射した光は、図３１の矢印で示されるように、その一部が導光体１に直接入射し、残部又はその一部がホルダ内壁のテーパ形状部分によって散乱されて導光体１に入射する。導光体１に入射した光は、導光体１の壁面での反射を繰り返して長手方向に進み、その一部が、導光体１の長手方向に沿って形成された白色の印刷パターン又は凹凸形状の光変更面１ａに入射する。
【０１３０】
光変更面１ａに入射しなかった光は、導光体１の内部を長手方向に進み、入射面と逆側の端面から出射する。端部から出射した光は、ホルダ８が有するテーパ形状部分によって散乱されて導光体１に再び入射する。
【０１３１】
光変更面１ａに入射した光は、図３２に示すように、反射によって、光変更面１ａと対向する出射部１ｃから、長手方向に伸びるライン状の副光１ｉとして原稿設置台の照射部方向に出射される。
【０１３２】
ホルダ８は、導光体ホルダ７の溝部の開口側に対応する部分が、その他の部分に比べると、導光体１側へ突出している。そのため、導光体１の端部における不均一な光が導光体１から出射されることは、ほとんどない。
【０１３３】
一方、光変更面１ａに入射した光の一部は、出射部１ｂから長手方向に伸びるライン状の主光１ｈとしてミラー１２へ向けて出射される。ミラー１２へ出射された主光１ｈは、ミラー１２で反射され、長手方向に伸びるライン状の主光１ｈとして原稿設置台の照射部方向に出射される。長手方向の中央における断面図である図３２において、導光体１の光変更面１ａから原稿設置台に向かう矢印は、それぞれ、光変更面１ａにより反射された光が、読取対象へ至る主な光路を示している。
【０１３４】
本発明の実施の形態９では、実施の形態１に係る導光体１を用いた２分岐線状光源装置について説明した。しかし、２分岐線状光源装置には、実施の形態１に係る導光体１に代えて、実施の形態２〜８のいずれか１つに係る導光体１が採用されてもよい。このような変形例においても、副光１ｉがミラー１２へ向けて出射されるように導光体１を２分岐線状光源装置に配置することによって、本実施の形態と同様の作用効果が得られる。
【０１３５】
実施の形態１０．
本発明の実施の形態１０について、図３３〜３６を用いて説明する。実施の形態１０では、実施の形態１に係る導光体１を用いた画像読取装置について説明する。
【０１３６】
図３３は、本発明の実施の形態１０に係るイメージセンサを用いた画像読取装置の、主走査方向（長手方向）に垂直な断面図である。図３４は、本発明の実施の形態１０に係る画像読取装置の分解図である。図３５は、本発明の実施の形態１０に係る画像読取装置のガラス側を上にした外形図である。図３６は、本発明の実施の形態１０に係る画像読取装置における信号処理基板側を上にした外形図である。
【０１３７】
読取対象（被照射体）１７は、読み取りの対象として、イメージセンサの外部に配置される物である。読取対象１７は、出射光が照射されて、表面の情報が読み取られる物であり、典型的には、紙幣、有価証券、小切手などの紙葉などである。読取対象１７は、例えば、その表面で反射した光が示す反射光情報、透かしなどの透過光情報などを有する。
【０１３８】
導光体１は、実施の形態１で述べたように、透明な樹脂で形成された、長手方向に延在する柱状の部材である。導光体１は、長手方向全域に光変更面１ａと、曲面を有する出射部１ｂ、１ｃとを有する。導光体１は、出射部１ｂ、１ｃのそれぞれから線状の光を照射することによって、２方向に線状の光を照射する。
【０１３９】
導光体１８は、透明な樹脂で形成された、長手方向に延在する柱状の部材である。導光体１８は、長手方向全域に光変更面１ａと、曲面を有する出射部１８ａを有する。導光体１８は、出射部１８ａから線状の光を照射することによって、１方向に線状の光を照射する。
【０１４０】
導光体１は、図３３に示すように、副光１ｉをロッドレンズアレイ２１直上の読取対象１７、すなわち読み取り位置に照射する。導光体１は、主光１ｈを読み取り位置から外側（同図の左方）に外れた位置に照射する。
【０１４１】
導光体１８は、ロッドレンズアレイ２１直上の読取対象１７、すなわち読み取り位置に光を照射する。
【０１４２】
発光体２ａは、ＬＥＤ光源などの光源素子であり、はんだ接合などにより発光体実装基板４に固定されている。発光体２ａは、発光体実装基板４により電流駆動されて発光する。発光体２ａは、導光体１の端面からその内部に入射する入射光を発する。
【０１４３】
発光体２ｂは、ＬＥＤ光源などの光源素子であり、はんだ接合などにより発光体実装基板４に固定されている。発光体２ｂは、発光体実装基板４により電流駆動されて発光する。発光体２ｂは、導光体１８の端面からその内部に入射する入射光を発する。
【０１４４】
カバー２３と透明板２２とは、図３３に示すように、読取対象１７が搬送される搬送面を上面に有する。本発明に係る画像読取装置は、これが組み込まれる複写機や金融端末等の機器がカバー２３と透明板２２との一方又は両方を備える場合、そのカバー２３と透明板２２との一方又は両方を備えなくてもよい。
【０１４５】
カバー２３は、樹脂や金属などで形成されており、透明板２２を保持する。透明板２２は、ガラス、プラスチックなどの材料で作られた透明な板状の部材であって、接着などによりカバー２３に固定される。カバー２３は、導光体１及び導光体１８の端部の上面を抑える爪を内面に備え、これによって、導光体１及び導光体１８を短手方向及び高さ方向に固定する。
【０１４６】
筐体６は、枠体から構成される。筐体６は、図３５に示すように、一方の開口における縁部分に、少なくともＸ方向に沿ってカバー２３を支持する部分が形成されている。筐体６は、ロッドレンズアレイ２１を保持する溝を内部に備える。ロッドレンズアレイ２１は、接着などにより筐体６に長手方向、短手方向及び高さ方向に固定される。
【０１４７】
また、筐体６は、導光体１及び導光体１８の端部の下面を抑える爪を内面に備え、導光体１及び導光体１８を短手方向及び高さ方向に固定する。筐体６は、導光体１、導光体１８、ロッドレンズアレイ２１、発光体実装基板４、カバー２３及び信号処理基板１９を保持する。
【０１４８】
ロッドレンズアレイ（結合光学系）２１は、長手方向に延在し、筐体６に固定されている。ロッドレンズアレイ２１は、短手方向（図３４のＹ軸方向、又は、図３７の左右方向）では導光体１と導光体１８との間に配置される。ロッドレンズアレイ２１は、長手方向（図３４のＸ軸方向）では導光体１と導光体１８とに平行に配置される。ロッドレンズアレイ２１は、導光体１及び導光体１８から発せられて読取対象で反射した光をセンサＩＣ２０上に結像する。
【０１４９】
センサＩＣ（受光部）２０は、ＣＭＯＳやＣＣＤなどの固体撮像素子である。センサＩＣ２０は、信号処理基板１９上にダイボンディングなどにより固定され、ワイヤボンディングなどにより他の素子などと電気的に接続されている。センサＩＣ２０は、ロッドレンズアレイ２１と平行に延在するように配置される。センサＩＣ２０は、信号処理基板１９により駆動され、ロッドレンズアレイ２１を介して入射した光情報を電気信号に変換（光電変換）する。
【０１５０】
信号処理基板１９は、センサＩＣ２０と機構的及び電気的に接続されており、センサＩＣ２０を固定し、センサＩＣ２０を駆動する。信号処理基板１９は、コネクタ２４を備える。信号処理基板１９には、コネクタ２４を介して、駆動電力が供給される。信号処理基板１９は、コネクタ２４を介して、電気信号を送信する。信号処理基板１９は、コネクタ２４を介して発光体２と発光体３とを駆動する。なお、コネクタ２４は、用途（センサ駆動用、ＬＥＤ駆動用）などに応じて複数に分けられていてもよい。
【０１５１】
信号処理基板１９は、図３４に示すように、挿入孔部１９ａ、１９ｂ、１９ｃを備える。信号処理基板１９は、筐体６の底部に設けられる基板取付孔部１９ｄ、１９ｅ、１９ｆのそれぞれに挿設されるネジなどの締結部材により長手方向、短手方向及び高さ方向に固定される。信号処理基板１９の挿入孔部１９ａと、筐体６の基板取付孔部１９ｄとは、センサＩＣ２０の高さ方向（図３４のＺ軸方向）の同一線上、かつ、センサＩＣ２０の長手方向（図３４のＸ軸方向）の中央に設けられる。信号処理基板１９の挿入孔部１９ｂ、１９ｃと、筐体６の基板取付孔部１９ｅ、１９ｆとは、センサＩＣ２０の高さ方向（図３４のＺ軸方向）の同一線上、かつ、センサＩＣ２０の長手方向（図３４のＸ軸方向）の延長上に設けられる。このような位置に締結部（挿入孔部１９ｂ、１９ｃ、基板取付孔部１９ｅ、１９ｆ）を設けることによって、ロッドレンズアレイ２１とセンサＩＣ２０との相対的な位置を精度よく定めることができる。
【０１５２】
発光体実装基板４は、発光体２ａ及び発光体２ｂが実装され、ハーネス２６を有する基板である。発光体２ａ及び発光体２ｂが実装される実装面の反対側の面が、筐体６の内部に主走査方向に沿って設けられた光源基板接触面６ｍに接触するように、発光体実装基板４は、配置される。ハーネス２６は、筐体６の挿入孔部１９ａ、１９ｂ、１９ｃを通り、信号処理基板１９に実装されているコネクタ２４と接続される。
【０１５３】
ロッドレンズアレイ２１は、導光体１及び導光体１８から出射された光が読取対象１７に反射した反射光を収束する結像光学系の一例である。ロッドレンズアレイ２１は、光学部材（例えば、ロッドレンズアレイ、マクロレンズアレイなどのラインセンサ（センサアレイ）上に光を収束させるレンズアレイ）又は光学部材を複合したもの（例えば、縮小光学系のイメージセンサ（画像読取装置）を構成するレンズやミラー）である。
【０１５４】
本発明の実施の形態１０では、ロッドレンズアレイ２１を用いて説明するが、ロッドレンズアレイは、正立等倍のロッドレンズがイメージセンサの主走査方向に多数配列して枠体などで固定したものである。そのため、本発明の実施の形態１０では、簡略化のため、主走査方向に細長い箱状の外形だけを図示する。また、ロッドレンズアレイ２１の焦点は、読取対象が配置される面（読取対象が搬送される場合には、読取対象が搬送される面である読取対象搬送面）に適合するように調整されるとよい。
【０１５５】
信号処理基板１９は、センサＩＣ２０が実装された回路基板であり、外部と接続可能なコネクタ（図示省略）を有する。信号処理基板１９には、ロッドレンズアレイ２１で収束された光を受光して光電変換するセンサＩＣ２０が、主走査方向に読み取り長さだけ配列して搭載されている。また、コネクタは、信号処理基板１９のセンサＩＣ（センサＩＣ２０）から光電変換された電気信号を画像信号として外部に出力する。
【０１５６】
信号処理基板１９は、筐体６の他方の開口面にネジなどの固定手段によって固定される。固定手段には、ネジに限らず、ピン、リベットなどが採用されてもよい。また、前述した筐体６の一方の開口側に径が狭まった状態の段差部分と同様の段差部分（筐体６の他方の開口側に径が狭まった状態の段差部分）が、筐体６の他方の開口側に形成されてもよい。信号処理基板１９は、この段差部分に嵌め込むことで固定されてもよい。さらに、前述のネジ、アタッチメントなどの固定手段が採用されてもよい。
【０１５７】
導光体１の端面からその内部へ入射した光は、導光体１の内部を長手方向に伝搬し、光変更面１ａにて、例えば長手方向と直交する方向（のいずれか）へ、反射されて主光１ｈ又は副光１ｉとして出射される。導光体１８の端面からその内部へ入射した光は、導光体１８の内部を長手方向に伝搬し、光変更面１８ａにて、例えば長手方向と直交する方向（のいずれか）へ、反射され、導光体１の副光１ｉが照射する方向へ出射される。導光体１からの副光１ｉと導光体１８からの光とは、読取対象１７で反射され、ロッドレンズアレイ２１で収束され、センサＩＣ２０で結像される。導光体１からの主光１ｈは、読取対象１７の副光１ｉが照射する箇所と異なる箇所を照射し、読取対象１７を透過する。したがって、導光体１を用いることにより、異なる２箇所を照射する画像読取装置を提供することができる。
【０１５８】
本発明の実施の形態１０では、実施の形態１の導光体１を用いた画像読取装置について説明した。しかし、画像読取装置には、実施の形態１に係る導光体１に代えて、実施の形態２〜８のいずれか１つに係る導光体１が採用されてもよい。このような変形例においても、主光及び副光が実施の形態１０の導光体１と同様に出射されるように画像読取装置に配置することによって、本実施の形態と同様の作用効果が得られる。
【０１５９】
実施の形態１１．
本発明の実施の形態１１に係る画像読取装置について、図３７を用いて説明する。実施の形態１１では、実施の形態１の導光体を用いた画像読取装置について説明する。
【０１６０】
図３７は、本発明の実施の形態１１に係るイメージセンサを用いた画像読み取り装置の主走査方向に垂直な断面図である。図３７において、図３２、図３３と同一若しくは同等の構成要素には同一符号を付し、その説明を省略する。
【０１６１】
導光体１の端面から入射した光は、導光体１内を長手方向に伝搬し、光変更面１ａにて、例えば長手方向と直交する方向（のいずれか）へ、反射され、主光１ｈ又は副光１ｉとして出射される。副光１ｉは、読取対象１７を直接照射する。主光１ｈは、ミラー１２で反射されてロッドレンズアレイ２１を挟んで、副光１ｉとは反対側から読取対象１７を照射する。導光体１から出射されて読取対象１７に照射された主光１ｈと副光１ｉとは、読取対象１７で反射され、ロッドレンズアレイ２１で収束され、センサＩＣ２０で結像される。
【０１６２】
本実施の形態によれば、１本の導光体１で、異なる２方向から読取対象１７に光を照射する画像読取装置を提供することができる。
【０１６３】
本発明の実施の形態１１では、本発明の実施の形態１の導光体１を用いた画像読取装置について説明したが、本発明の実施の形態２〜８に係る導光体１が採用されてもよい。この場合であっても、主光及び副光が、実施の形態１１に係る導光体１と同様に出射されるように、導光体１を画像読取装置に配置することにより、同様の作用効果が得られる。
【０１６４】
以上、本発明の実施の形態及び変形例を説明したが、本発明はこれらに限定されるものではない。本発明は、実施の形態及び変形例が適宜組み合わされたもの、それに適宜変更が加えられたものを含む。
【０１６５】
本出願は、２０１２年１２月２０日に出願した日本国特許出願２０１２−２７８４１０号と、２０１３年３月７日に出願した日本国特許出願２０１３−０４５６７１号とに基づく優先権を主張するものである。これらの特許出願の開示内容は参照により全体として本出願に取り込まれる。
【符号の説明】
【０１６６】
１  導光体、１ａ  光変更面（反射部）、１ｂ  出射部（第１の出射部）、１ｃ  出射部（第２の出射部）、１ｄ  側面、１ｅ  側面、１ｆ  側面、１ｇ  入射面、１ｈ  主光（第１の出射光）、１ｈ’  光路、１ｉ  副光（第２の出射光）、１ｋ  底面（平面）、１Ｌ  光変更面（反射部）、１ｍ  底面（平面）、１ｎ  側面、１ｐ  切れ込み（凹部）、１ｑ  切れ込み（凹部）、１ｒ  側面、２  発光体、２ａ  発光体、２ｂ  発光体、３  発光体、４  発光体実装基板、５  発光体実装基板、６  筐体、６ａ  保持孔、６ｂ  保持孔、６ｃ  保持孔、６ｄ  アパーチャ、６ｅ  照明装置取り付け孔、６ｆ  導光体ホルダ押さえ、６ｇ  ミラー設置面、６ｊ  ホルダ保持孔、７  導光体ホルダ（導光体ケース）、７ａ  導光体保持孔、７ｂ  導光体保持孔、７ｃ  導光体保持孔、７ｄ  溝部、７ｅ  ピン、７ｆ  ピン、７ｇ  ピン、８  ホルダ、９  フィン、１０  光学フィルタ、１１  光学フィルタ、１２  ミラー、１３  ネジ、１４  ネジ、１５  伝熱体、１６  ハーネス、１７  読取対象、１８  導光体、１８ａ  光変更面（反射部）、１９  信号処理基板、１９ａ  挿入孔部、１９ｂ  挿入孔部、１９ｃ  挿入孔部、１９ｄ  基板取付孔部、１９ｅ  基板取付孔部、１９ｆ  基板取付孔部、２０  センサＩＣ、２１  ロッドレンズアレイ（結像光学系）、２２  透明板、２３  カバー、２４  コネクタ、２６  ハーネス、３０  遮光部材、１１０・１１１  導光体１の円部。
【図１】
2014097995.tif 000003
【図２】
2014097995.tif 000004
【図３】
2014097995.tif 000005
【図４】
2014097995.tif 000006
【図５】
2014097995.tif 000007
【図６】
2014097995.tif 000008
【図７】
2014097995.tif 000009
【図８】
2014097995.tif 000010
【図９】
2014097995.tif 000011
【図１０】
2014097995.tif 000012
【図１１】
2014097995.tif 000013
【図１２】
2014097995.tif 000014
【図１３】
2014097995.tif 000015
【図１４】
2014097995.tif 000016
【図１５】
2014097995.tif 000017
【図１６】
2014097995.tif 000018
【図１７】
2014097995.tif 000019
【図１８】
2014097995.tif 000020
【図１９】
2014097995.tif 000021
【図２０】
2014097995.tif 000022
【図２１】
2014097995.tif 000023
【図２２】
2014097995.tif 000024
【図２３】
2014097995.tif 000025
【図２４】
2014097995.tif 000026
【図２５】
2014097995.tif 000027
【図２６】
2014097995.tif 000028
【図２７】
2014097995.tif 000029
【図２８】
2014097995.tif 000030
【図２９Ａ】
2014097995.tif 000031
【図２９Ｂ】
2014097995.tif 000032
【図３０Ａ】
2014097995.tif 000033
【図３０Ｂ】
2014097995.tif 000034
【図３０Ｃ】
2014097995.tif 000035
【図３１Ａ】
2014097995.tif 000036
【図３１Ｂ】
2014097995.tif 000037
【図３２】
2014097995.tif 000038
【図３３】
2014097995.tif 000039
【図３４】
2014097995.tif 000040
【図３５】
2014097995.tif 000041
【図３６】
2014097995.tif 000042
【図３７】
2014097995.tif 000043
【手続補正書】
【提出日】平成27年1月29日(2015.1.29)
【手続補正１】
【補正対象書類名】明細書
【補正対象項目名】００１１
【補正方法】変更
【補正の内容】
【００１１】
上記目的を達成するため、第１の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、内部に入射した光を第１の出射部と第２の出射部とのそれぞれへ向けて反射する反射部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に凹状をなした接続部を介して第１の出射部と接続する。
反射部は、第１の出射部及び第２の出射部の両方に対向する平面部において、第１の出射部と第２の出射部とを接続する凹状をなした接続部を通る平面部の法線が平面部と交わる位置から、長軸方向に直交する方向へずれた位置に設けられている。
【手続補正２】
【補正対象書類名】明細書
【補正対象項目名】００１２
【補正方法】変更
【補正の内容】
【００１２】
第２の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、第１の反射部と、第２の反射部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
第１の反射部は、第１の出射部に対向する第１の平面部に設けられる。第２の反射部は、第２の出射部に対向する第２の平面部に設けられる。
第１の出射部と第１の反射部との距離は、第２の出射部と第２の反射部との距離よりも短い。
第１の出射部と第２の出射部とは、長軸方向に直交する断面において、凹状をなして接続する。
【手続補正３】
【補正対象書類名】明細書
【補正対象項目名】００１３
【補正方法】変更
【補正の内容】
【００１３】
第３の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、第１の反射部と、第２の反射部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
第１の反射部は、第１の出射部に対向する第１の平面部に設けられる。第２の反射部は、第２の出射部に対向する第２の平面部に設けられる。
第１の出射部と第１の反射部との距離は、第２の出射部と第２の反射部との距離よりも短い。
第１の出射光の光軸は、第２の出射光の光軸と交差する。
第１の曲面と第２の曲面とは、同じ曲率である。
【手続補正４】
【補正対象書類名】明細書
【補正対象項目名】００１４
【補正方法】変更
【補正の内容】
【００１４】
第４の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、第１の反射部と、第２の反射部と、凹部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
第１の反射部は、第１の出射部に対向する第１の平面部に設けられる。第２の反射部は、第２の出射部に対向する第２の平面部に設けられる。
凹部は、第１の出射部と第２の反射部との間、及び、第２の出射部と第１の反射部との間の一方又は両方に、長軸方向に延在する。
凹部は、長軸方向に延在して、互いに交差する平面で形成される。
凹部は、第１の出射光の光軸に平行な平面と、この平面に交差する平面とで形成される。
【手続補正５】
【補正対象書類名】明細書
【補正対象項目名】００１５
【補正方法】変更
【補正の内容】
【００１５】
第５の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、第１の反射部と、第２の反射部と、凹部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に第１の出射部と接続する。
第１の反射部は、第１の出射部に対向する第１の平面部に設けられる。第２の反射部は、第２の出射部に対向する第２の平面部に設けられる。
凹部は、第１の出射部と第２の反射部との間、及び、第２の出射部と第１の反射部との間の一方又は両方に、長軸方向に延在する。
凹部は、長軸方向に延在して、互いに交差する平面で形成される。
第１の出射部と第２の反射部との間に設けられた凹部は、第１の出射光の光軸に平行な平面と、この平面に交差する平面とで形成される。
第２の出射部と第１の反射部との間に設けられた凹部は、第２の出射光の光軸に平行な平面と、この平面に交差する平面とで形成される。
【手続補正６】
【補正対象書類名】特許請求の範囲
【補正対象項目名】全文
【補正方法】変更
【補正の内容】
【特許請求の範囲】
【請求項１】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に凹状をなした接続部を介して前記第１の出射部と接続しており、前記第１の出射光とは異なる方向に第２の出射光を出射する第２の出射部と、
前記内部に入射した光を前記第１の出射部と前記第２の出射部とのそれぞれへ向けて反射する反射部とを備え、
前記反射部は、前記第１の出射部及び前記第２の出射部の両方に対向する平面部において、前記第１の出射部と前記第２の出射部とを接続する前記凹状をなした接続部を通る前記平面部の法線が前記平面部と交わる位置から、前記長軸方向に直交する方向へずれた位置に設けられている導光体。
【請求項２】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に前記第１の出射部と接続しており、前記第１の出射光とは異なる方向に第２の出射光を出射する第２の出射部と、
前記第１の出射部に対向する第１の平面部に設けられた第１の反射部と、
前記第２の出射部に対向する第２の平面部に設けられた第２の反射部とを備え、
前記第１の出射部と前記第１の反射部との距離は、前記第２の出射部と前記第２の反射部との距離よりも短く、
前記第１の出射部と前記第２の出射部とは、前記長軸方向に直交する断面において、凹状をなして接続する導光体。
【請求項３】
前記第１の反射部と前記第２の反射部とは、前記長軸方向に直交する方向に並行に配置されている請求項２に記載の導光体。
【請求項４】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に前記第１の出射部と接続しており、前記第１の出射光とは異なる方向に第２の出射光を出射する第２の出射部と、
前記第１の出射部に対向する第１の平面部に設けられた第１の反射部と、
前記第２の出射部に対向する第２の平面部に設けられた第２の反射部とを備え、
前記第１の出射部と前記第１の反射部との距離は、前記第２の出射部と前記第２の反射部との距離よりも短く、
前記第１の出射光の光軸は、前記第２の出射光の光軸と交差し、
前記第１の曲面と前記第２の曲面とは、同じ曲率である導光体。
【請求項５】
前記第１の曲面と前記第２の曲面とは、同じ曲率の曲面であり、当該曲面に接続して延びて前記第２の出射部に対向する前記第２の平面部に接続する側壁部を備え、
前記側壁部は、前記第２の反射部で反射された光を前記第２の出射部へ反射するとともに、前記長軸方向へ導光する請求項４に記載の導光体。
【請求項６】
前記側壁部は、平面である請求項５に記載の導光体。
【請求項７】
前記側壁部は、前記長軸方向に直交する断面が凸状である曲面を有する請求項５に記載の導光体。
【請求項８】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に前記第１の出射部と接続しており、前記第１の出射光とは異なる方向に第２の出射光を出射する第２の出射部と、
前記第１の出射部に対向する第１の平面部に設けられた第１の反射部と、
前記第２の出射部に対向する第２の平面部に設けられた第２の反射部と、
前記第１の出射部と前記第２の反射部との間、及び、前記第２の出射部と前記第１の反射部との間の一方又は両方に、前記長軸方向に延在する凹部とを備え、
前記凹部は、前記長軸方向に延在して、互いに交差する平面で形成されており、
前記凹部は、前記第１の出射光の光軸に平行な平面と、当該平面に交差する平面とで形成される導光体。
【請求項９】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に前記第１の出射部と接続しており、前記第１の出射光とは異なる方向に第２の出射光を出射する第２の出射部と、
前記第１の出射部に対向する第１の平面部に設けられた第１の反射部と、
前記第２の出射部に対向する第２の平面部に設けられた第２の反射部と、
前記第１の出射部と前記第２の反射部との間、及び、前記第２の出射部と前記第１の反射部との間の一方又は両方に、前記長軸方向に延在する凹部とを備え、
前記凹部は、前記長軸方向に延在して、互いに交差する平面で形成されており、
前記第１の出射部と前記第２の反射部との間に設けられた凹部は、前記第１の出射光の光軸に平行な平面と、当該平面に交差する平面とで形成され、
前記第２の出射部と前記第１の反射部との間に設けられた凹部は、前記第２の出射光の光軸に平行な平面と、当該平面に交差する平面とで形成される導光体。
【請求項１０】
前記凹部を形成する平面の交差角度は、９０度である請求項８または９に記載の導光体。
【請求項１１】
前記凹部を形成する平面の交差角度は、鈍角である請求項８または９に記載の導光体。
【請求項１２】
前記凹部に設けられた遮光部材をさらに備える請求項８または９に記載の導光体。
【請求項１３】
前記第２の出射光が被照射体を照射する請求項１から請求項１２のいずれか１項に記載の導光体と、
前記導光体の前記第１の出射部に対向し、前記長軸方向に延在し、前記導光体からの前記第１の出射光を反射して前記被照射体を照射する反射体とを備える光源装置。
【請求項１４】
請求項１３に記載の光源装置と、
前記第２の出射光と前記反射体で反射した反射光とが被照射体で反射した散乱光を集束させる結像光学系と、
前記結像光学系で集束された光を受光する受光部とを備える画像読取装置。
【請求項１５】
前記第１の出射光と前記第２の出射光とのそれぞれが被照射体を照射する請求項１から請求項１２のいずれか１項に記載の導光体と、
前記導光体からの前記第１の出射光と前記第２の出射光とが前記被照射体で反射した散乱光を集束させる結像光学系と、
前記結像光学系で集束された光を受光する受光部とを備える画像読取装置。
【手続補正書】
【提出日】平成28年6月16日(2016.6.16)
【手続補正１】
【補正対象書類名】明細書
【補正対象項目名】００１１
【補正方法】変更
【補正の内容】
【００１１】
上記目的を達成するため、第１の観点に係る発明は、長軸方向に延在し、長軸方向の端部から入射光が内部に入射する導光体であって、第１の出射光を出射する第１の出射部と、第１の出射光とは異なる方向に第２の出射光を出射する第２の出射部と、内部に入射した光を第１の出射部と第２の出射部とのそれぞれへ向けて反射する、長軸方向に直交する断面において、共通の１つの反射部とを備える。
第１の出射部は、長軸方向に直交する断面が凸状である第１の曲面を有する。第２の出射部は、長軸方向に直交する断面が凸状である第２の曲面を有する。第２の出射部は、長軸方向に直交する方向に凹状をなした接続部を介して第１の出射部と接続する。
反射部は、第１の出射部及び第２の出射部の両方に対向する平面部において、第１の出射部と第２の出射部とを接続する凹状をなした接続部を通る平面部の法線が平面部と交わる位置から、長軸方向に直交する方向へずれた位置に設けられている。
【手続補正２】
【補正対象書類名】特許請求の範囲
【補正対象項目名】請求項１
【補正方法】変更
【補正の内容】
【請求項１】
長軸方向に延在し、前記長軸方向の端部から入射光が内部に入射する導光体であって、
前記長軸方向に直交する断面が凸状である第１の曲面を有し、第１の出射光を出射する第１の出射部と、
前記長軸方向に直交する断面が凸状である第２の曲面を有し、前記長軸方向に直交する方向に凹状をなした接続部を介して前記第１の出射部と接続しており、前記第１の出射光とは異なる方向に第２の出射光を出射する第２の出射部と、
前記内部に入射した光を前記第１の出射部と前記第２の出射部とのそれぞれへ向けて反射する、前記長軸方向に直交する断面において、共通の１つの反射部とを備え、
前記反射部は、前記第１の出射部及び前記第２の出射部の両方に対向する平面部において、前記第１の出射部と前記第２の出射部とを接続する前記凹状をなした接続部を通る前記平面部の法線が前記平面部と交わる位置から、前記長軸方向に直交する方向へずれた位置に設けられている導光体。
【国際調査報告】
2014097995.tif 000044
2014097995.tif 000045
2014097995.tif 000046
2014097995.tif 000047